【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
キャリアアグリゲーションモードのために使用されるフロントエンドモジュールであって、
−第１のダイプレクサ（ＤＰＸ１）またはより高次のマルチプレクサと、
−第１のアンテナ接続部（ＡＴ）と、
−前記第１のアンテナ接続部（ＡＴ）を前記第１のダイプレクサ（ＤＰＸ１）又は前記より高次のマルチプレクサと接続する、第１の信号パス（ＳＰ）と、
−前記ダイプレクサ（ＤＰＸ１）に接続されたノッチフィルタ（ＮＦ）、ここにおいて、前記ノッチフィルタ（ＮＦ）は、第１の遮断領域を備える、と、
−前記アンテナ接続部（ＡＴ）と前記第１のノッチフィルタ（ＮＦ）との間の前記信号パス（ＳＰ）に配置されたノードにおいて接続された、第１のエクストラクタパス（ＥＰ）と、
−第１のエクストラクタ帯域用のバンドパスフィルタ（ＢＰ）、ここにおいて、前記バンドパスフィルタ（ＢＰ）は、前記第１のエクストラクタパス（ＥＰ）中に配置され、前記ノッチフィルタ（ＮＦ）及び前記バンドパスフィルタ（ＢＰ）は、エクストラクタ構成（ＥＡ）を形成する、と
を備え、
−前記ダイプレクサ（ＤＰＸ１）または前記より高次のマルチプレクサはそれぞれ、第１及び第２の周波数領域を分離し、それぞれ、第１の分割パス（ＴＰ１）又は第２の分割パス（ＴＰ２）に配分し、前記第１及び前記第２の周波数領域は、第１のダイプレクサ間隔によって離間され、
−前記ノッチフィルタ（ＮＦ）の前記遮断領域と前記第１のエクストラクタ帯域とは、少なくとも部分的に重なり合い、
−前記遮断領域は、第１の周波数領域と第２の周波数領域との間で、前記遮断領域が前記第１及び前記第２の周波数領域のいずれとも重ならないように配置されている、
フロントエンドモジュール。
【請求項２】
第２のダイプレクサ（ＤＰＸ２）または第２のより高次のマルチプレクサは、前記第１のアンテナ接続部（ＡＴ）と前記ノッチフィルタ（ＮＦ）との間の前記第１の信号パス（ＳＰ）中に配置され、第３の周波数領域を前記第１の信号パス（ＳＰ）から少なくとも分離し、第３の分割パス（ＴＰ３）にそれを誘導する、請求項１に記載のフロントエンドモジュール。
【請求項３】
前記遮断領域は、帯域６６又は帯域１又は帯域４のＲｘ帯域と完全に重なり、
前記バンドパスフィルタ（ＢＰ）は、帯域６６又は帯域１又は帯域４又は帯域６５のＲｘ帯域用に形成され、
前記第１の周波数領域は、１９９５ＭＨｚまで又は２０２５ＭＨｚまでの周波数を含み、
前記第２の周波数領域は、２３００ＭＨｚ以上の周波数を含むため、
前記エクストラクタパス（ＥＰ）は、帯域６６又は帯域１又は帯域４又は帯域６５のＲｘ周波数を分離するために形成されている、請求項１又は２に記載のフロントエンドモジュール。
【請求項４】
前記遮断領域は、帯域３０Ｒｘ及びＴｘ及び／又は帯域４０と完全に重なり、
前記バンドパスフィルタ（ＢＰ）は、帯域３０Ｒｘ及びＴｘ及び／又は帯域４０用に形成され、
前記第１の周波数領域は、２１７０ＭＨｚまで又は２２００ＭＨｚまでの周波数を含み、
前記第２の周波数領域は、２４９６ＭＨｚ以上の周波数を含み、
前記エクストラクタパス（ＥＰ）は、帯域３０のＲｘ周波数及び／又は帯域４０を分離するために設定されている、請求項１〜３のいずれか一項に記載のフロントエンドモジュール。
【請求項５】
第２のノッチフィルタ（ＮＦ）は、前記第１の信号パス（ＳＰ）に、又は前記第１、前記第２及び前記第３の分割パス（ＴＰ１、ＴＰ２、ＴＰ３）から選択される分割パス（ＴＰ）に配置されており、前記ノッチフィルタは、第２の遮断領域を有し、
エクストラクタパス（ＥＰ）は、通過領域（ＢＰ）が配置されている、前記第１の信号パス又は前記それぞれの分割パス（ＴＰ）から、アンテナ接続部（ＡＴ）と前記少なくとも１つの更なるノッチフィルタ（ＮＦ）との間で分岐し、その通過領域が第２のエクストラクタ帯域であり前記第２の遮断領域及び前記第２のエクストラクタ帯域は、少なくとも部分的に重なっている、請求項１〜４のいずれか一項に記載のフロントエンドモジュール。
【請求項６】
それぞれのエクストラクタ帯域を抽出するために形成されている、２つのエクストラクタ構成（ＥＡ１、ＥＡ２）が設けられており、
前記第１のエクストラクタ帯域は、帯域６６又は帯域１又は帯域４又は帯域６５のＲｘ帯域を含み、
前記第２のエクストラクタ帯域は、ＧＮＳＳ、ＷＬＡＮ２．４、帯域４０、帯域３０、帯域３２及びＬＭＢから選択される周波数用に形成されており、ＬＭＢは、１４２５〜１５１１ＭＨｚの周波数を含む、請求項１〜５のいずれか一項に記載のフロントエンドモジュール。
【請求項７】
異なる３つのエクストラクタ帯域を併せて抽出するために形成されている、３つのエクストラクタ構成（ＥＡ１、ＥＡ２、ＥＡ３）が設けられており、
前記第１のエクストラクタ帯域は、帯域６６又は帯域１又は帯域４又は帯域６５のＲｘ帯域を含み、
前記第２及び前記第３のエクストラクタ帯域は、ＧＮＳＳ、ＷＬＡＮ２．４、帯域４０、帯域３０、帯域３２及びＬＭＢから互いに独立に選択される異なる周波数用に形成されている、請求項１〜６のいずれか一項に記載のフロントエンドモジュール。
【請求項８】
それぞれのノッチフィルタ（ＮＦ）及びエクストラクタパス（ＥＰ）に配置されたバンドパスフィルタ（ＢＰ）のそれぞれは、ＳＡＷフィルタ、温度補償ＳＡＷフィルタ又はＢＡＷフィルタを実装するマイクロ弾性波共振器を含む、請求項１〜７のいずれか一項に記載のフロントエンドモジュール。
【請求項９】
ダイプレクサ（ＤＰＸ）は、Ｌ素子及びＣ素子から実装され、ＬＴＣＣセラミック又は積層体に集積化されるか又は支持体上に組み立てられる離散Ｌ素子及びＣ素子として実装される、ローパスフィルタ、ハイパスフィルタ又はバンドパスフィルタを含む、請求項１〜８のいずれか一項に記載のフロントエンドモジュール。
【請求項１０】
前記エクストラクタ構成（ＥＡ）のそれぞれは、バイパスパス（ＵＥＰ）でバイパスされることができ、スイッチ（ＳＷ）は、それぞれのバイパスパス（ＵＥＰ）において、前記バイパスパス（ＵＥＰ）を開閉するために配置されている、請求項１〜９のいずれか一項に記載のフロントエンドモジュール。
【請求項１１】
前記分割パス（ＴＰ）のうちの１つは、アンテナスイッチ（ＡＳ）の入力と接続されており、
前記アンテナスイッチ（ＡＳ）の出力は、対応するスイッチ位置を介して一連のデュプレクサと選択的に接続することができ、
前記デュプレクサは、第１の帯域用のＲｘフィルタ及び前記第１の帯域とは異なる第２の帯域用のＴｘフィルタを組み合わせる、混合デュプレクサを含み、
エクストラクタ帯域は、前記第２の帯域のＲｘ周波数を含み、
別のデュプレクサは、前記第１の帯域用のＲｘフィルタ及びＴｘフィルタを含む、未混合デュプレクサである、請求項１〜１０のいずれか一項に記載のフロントエンドモジュール。
【請求項１２】
前記未混合受信パスから周波数領域用の更なる分割パス（ＴＰ）を分岐する、更なるダイプレクサ（ＤＰＸ）又はより高次のマルチプレクサが前記ダイバーシティアンテナ（ＤＡＴ）と前記エクストラクタ構成（ＥＡ）との間に配置されている、請求項１〜１１のいずれか一項に記載のフロントエンドモジュール。
【請求項１３】
ダイバーシティアンテナ（ＤＡＴ）と接続可能な未混合受信パスを備え、
前記未混合受信パスからエクストラクタパス（ＥＰ）を分岐するエクストラクタ構成（ＥＡ）を備え、前記エクストラクタ帯域は、Ｂ４−Ｒｘ、Ｂ１−Ｒｘ、Ｂ６５−Ｒｘ又はＢ６６−Ｒｘに割り当てられ、
ダイプレクサ（ＤＰＸ）は、前記未混合受信パスを２つの未混合受信分割パスに分割する前記未混合受信パス中に配置されそれは、それぞれ中帯域領域（ＭＢ）及び高帯域領域（ＨＢ）に割り当てられ、
混合ダイバーシティトリプレクサは、中帯域（ＭＢ）用の前記受信分割パス中に配置され、Ｂ３２−Ｒｘ／Ｂ２１−Ｒｘ／Ｂ３−Ｒｘ用のフィルタ組み合わせを備える、請求項１〜１２のいずれか一項に記載のフロントエンドモジュール。
【請求項１４】
それぞれのエクストラクタ帯域を抽出するために形成されている、２つのエクストラクタ構成（ＥＡ）が設けられており、
前記第１のエクストラクタ帯域は、帯域３０Ｒｘ及びＴｘ及び／又は帯域４０を含み、
前記第２のエクストラクタ帯域は、ＧＮＳＳ、ＷＬＡＮ２．４、帯域６６−Ｒｘ、帯域３２−Ｒｘ及びＬＭＢから選択される周波数用に設定されており、ＬＭＢは、１４２５〜１５１１ＭＨｚの周波数を含む、請求項１〜１３のいずれか一項に記載のフロントエンドモジュール。
【請求項１５】
混合デュプレクサは、帯域Ｂ１−Ｔｘ又はＢ６５−Ｔｘ／Ｂ（１１＋２１＋３２）−Ｒｘ用のフィルタ組み合わせで設けられる、請求項１〜１４のいずれか一項に記載のフロントエンドモジュール。
【手続補正２】
【補正対象書類名】明細書
【補正対象項目名】０１６８
【補正方法】変更
【補正の内容】
【０１６８】
更に、本発明は、その構成が記載された構造を含み、別の要素及び構成とであるが更なる機能との相互接続によって設けられている限り、更に複雑な構成もまた含む。
以下に、本願出願の当初の特許請求の範囲に記載された発明を付記する。
［Ｃ１］
キャリアアグリゲーションモード用に強化されたフロントエンドモジュールであって、
−第１のアンテナ接続部（ＡＴ）を第１のダイプレクサ（ＤＰＸ１）又はより高次のマルチプレクサと接続する、第１の信号パス（ＳＰ）を備え、
−第１の遮断領域を有する、前記ダイプレクサに連結されたノッチフィルタ（ＮＦ）を備え、
−前記アンテナ接続部と前記第１のノッチフィルタとの間の前記信号パスに配置されたノードにおいて連結された、第１のエクストラクタパス（ＥＰ）を備え、
−前記第１のエクストラクタパス（ＥＰ）に配置された、第１のエクストラクタ帯域用のバンドパスフィルタ（ＢＰ）を備え、前記ノッチフィルタ及び前記バンドパスフィルタは、エクストラクタ構成（ＥＡ）を形成し、
−前記ダイプレクサは、第１のダイプレクサ間隔によって離間された第１及び第２の周波数領域を互いに分離し、それぞれ第１の分割パス（ＴＰ１）又は第２の分割パス（ＴＰ２）に配分し、
−前記ノッチフィルタの前記遮断領域と前記第１のエクストラクタ帯域とは、少なくとも部分的に重なり合い、
−前記遮断領域は、第１の周波数領域と第２の周波数領域との間で、前記遮断領域が前記周波数領域のいずれとも重ならないように配置されている、フロントエンドモジュール。
［Ｃ２］
前記第１のアンテナ接続部（ＡＴ）と前記ノッチフィルタ（ＮＦ）との間の前記第１の信号パス（ＳＰ）に、少なくとも第３の周波数領域を前記第１の信号パスから分離し、第３の分割パス（ＴＰ３）に誘導する、第２のダイプレクサ（ＤＰＸ２）又はより高次のマルチプレクサが配置されている、［Ｃ１］に記載のフロントエンドモジュール。
［Ｃ３］
前記遮断領域は、帯域６６又は帯域１又は帯域４のＲｘ帯域と完全に重なり、
前記バンドパスフィルタ（ＢＰ）は、帯域６６又は帯域１又は帯域４又は帯域６５のＲｘ帯域用に形成され、
前記第１の周波数領域は、１９９５ＭＨｚまで又は２０２５ＭＨｚまでの周波数を含み、
前記第２の周波数領域は、２３００ＭＨｚ以上の周波数を含むため、
前記エクストラクタパス（ＥＰ）は、帯域６６又は帯域１又は帯域４又は帯域６５のＲｘ周波数を分離するために設定されている、［Ｃ１］又は［Ｃ２］に記載のフロントエンドモジュール。
［Ｃ４］
前記遮断領域は、帯域３０Ｒｘ及びＴｘ及び／又は帯域４０と完全に重なり、
前記バンドパスフィルタ（ＢＰ）は、帯域３０Ｒｘ及びＴｘ及び／又は帯域４０用に形成され、
前記第１の周波数領域は、２１７０ＭＨｚまで又は２２００ＭＨｚまでの周波数を含み、
前記第２の周波数領域は、２４９６ＭＨｚ以上の周波数を含み、
前記エクストラクタパス（ＥＰ）は、帯域３０のＲｘ周波数及び／又は帯域４０を分離するために設定されている、［Ｃ１］〜［Ｃ３］のいずれか一項に記載のフロントエンドモジュール。
［Ｃ５］
第２のノッチフィルタ（ＮＦ）は、前記第１の信号パス（ＳＰ）に、又は前記第１、前記第２及び前記第３の分割パスから選択される分割パス（ＴＰ）に配置されており、前記ノッチフィルタは、第２の遮断領域を有し、
アンテナ接続部（ＡＴ）と前記少なくとも１つの更なるノッチフィルタ（ＮＦ）との間で、エクストラクタパス（ＥＰ）は、前記第１の信号パス又は前記それぞれの分割パスから分岐し、前記エクストラクタパスに、その通過領域が第２のエクストラクタ帯域に相当するバンドパスフィルタ（ＢＰ）が配置されており、前記第２の遮断領域及び前記第２のエクストラクタ帯域は、少なくとも部分的に重なっている、［Ｃ１］〜［Ｃ４］のいずれか一項］に記載のフロントエンドモジュール。
［Ｃ６］
それぞれのエクストラクタ帯域を抽出するために形成されている、２つのエクストラクタ構成（ＥＡ）が設けられており、
前記第１のエクストラクタ帯域は、帯域６６又は帯域１又は帯域４又は帯域６５のＲｘ帯域を含み、
前記第２のエクストラクタ帯域は、ＧＮＳＳ、ＷＬＡＮ２．４、帯域４０、帯域３０、帯域３２及びＬＭＢから選択される周波数用に設定されており、ＬＭＢは、１４２５〜１５１１ＭＨｚの周波数を含む、［Ｃ１］〜［Ｃ５］のいずれか一項に記載のフロントエンドモジュール。
［Ｃ７］
異なる３つのエクストラクタ帯域を併せて抽出するために形成されている、３つのエクストラクタ構成（ＥＡ１、ＥＡ２、ＥＡ３）が設けられており、
前記第１のエクストラクタ帯域は、帯域６６又は帯域１又は帯域４又は帯域６５のＲｘ帯域を含み、
前記第２及び前記第３のエクストラクタ帯域は、ＧＮＳＳ、ＷＬＡＮ２．４、帯域４０、帯域３０、帯域３２及びＬＭＢから選択される異なる周波数用に互いに独立に設定されている、［Ｃ１〜６のいずれか一項に記載のフロントエンドモジュール。
［Ｃ８］
それぞれのノッチフィルタ（ＮＦ）及びエクストラクタパスに配置されたバンドパスフィルタ（ＢＰ）のそれぞれは、ＳＡＷフィルタ、温度補償ＳＡＷフィルタ又はＢＡＷフィルタを実装するマイクロ弾性波共振器を含む、［Ｃ１］〜［Ｃ７］のいずれか一項に記載のフロントエンドモジュール。
［Ｃ９］
前記１つ以上のダイプレクサ（ＤＰＸ）は、Ｌ素子及びＣ素子から実装され、ＬＴＣＣセラミック又は積層体に集積化されるか又は支持体上に組み立てられる離散Ｌ素子及びＣ素子として実装される、ローパスフィルタ、ハイパスフィルタ又はバンドパスフィルタを含む、［Ｃ１］〜［Ｃ８］のいずれか一項に記載のフロントエンドモジュール。
［Ｃ１０］
前記エクストラクタ構成（ＥＡ）のそれぞれは、バイパスパス（ＵＥＰ）によりバイパスすることができ、
それぞれのバイパスパスには、前記バイパスパスを開閉するためにスイッチ（ＳＷ）が配置されている、［Ｃ１］〜［Ｃ９］のいずれか一項に記載のフロントエンドモジュール。
［Ｃ１１］
前記分割パス（ＴＰ）のうちの１つは、アンテナスイッチ（ＡＳ）の入力と接続されており、
前記アンテナスイッチの出力は、対応するスイッチ設定を介して一連のデュプレクサと選択的に接続することができ、
前記デュプレクサは、第１の帯域用のＲｘフィルタ及び前記第１の帯域とは異なる第２の帯域用のＴｘフィルタを組み合わせる、混合デュプレクサを含み、
エクストラクタ帯域Ｒｘは、前記第２の帯域の周波数を含み、
更なるデュプレクサは、前記第１の帯域用のＴｘフィルタ及びそれに関連付けられたＲＸフィルタを含む、未混合デュプレクサである、［Ｃ１］〜［Ｃ１０］のいずれか一項に記載のフロントエンドモジュール。
［Ｃ１２］
第１の混合デュプレクサは、Ｂ１−Ｔｘ用のフィルタをＢ３−Ｒｘと組み合わせるか又はＢ４−Ｔｘ用のフィルタをＢ２−Ｒｘと組み合わせ、
エクストラクタ帯域Ｂ４−Ｒｘ又はＢ１−Ｒｘが割り当てられている、［Ｃ１１］に記載のフロントエンドモジュール。
［Ｃ１３］
混合デュプレクサは、
Ｂ１−ＴｘをＢ３−Ｒｘと、又は
Ｂ６５−ＴｘをＢ３−Ｒｘと、又は
Ｂ４−ＴｘをＢ２−Ｒｘと、又は
Ｂ４−ＴｘをＢ２５−Ｒｘと、又は
Ｂ６６−ＴｘをＢ２−Ｒｘと、又は
Ｂ６６−ＴｘをＢ２５−Ｒｘと、組み合わせ、
上記で列挙した前記混合デュプレクサの前記Ｒｘ帯域を前記対応するＴｘ帯域と組み合わせ、Ｂ３−Ｔｘ／Ｂ３−Ｒｘ、Ｂ２−Ｔｘ／Ｂ２−Ｒｘ並びにＢ２５−Ｔｘ及びＢ２５−Ｒｘ用の前記デュプレクサから選択することができる、未混合デュプレクサが追加的に設けられている、エクストラクタ帯域Ｂ４−Ｒｘ又はＢ１−Ｒｘ又はＢ６６−Ｒｘが割り当てられている、［Ｃ１１］又は［Ｃ１２］に記載のフロントエンドモジュール。
［Ｃ１４］
前記アンテナスイッチ（ＡＳ）の出力は、対応するスイッチ設定を介して２つのトリプレクサと接続することができ、
前記トリプレクサのうちの１つは、Ｂ１−Ｔｘ／Ｂ３−Ｒｘ／Ｂ３２−Ｒｘ若しくはＢ６５−Ｔｘ／Ｂ３−Ｒｘ／Ｂ３２−Ｒｘ用のフィルタ組み合わせ又はＢ３−Ｔｘ／Ｂ３−Ｒｘ／Ｂ３２−Ｒｘ用のフィルタ組み合わせを含み、
エクストラクタ帯域Ｂ４−Ｒｘ又はＢ１−Ｒｘ又はＢ６５−Ｒｘが割り当てられている、［Ｃ１１］〜［Ｃ１３］のいずれか一項に記載のフロントエンドモジュール。
［Ｃ１５］
混合デュプレクサを含み、前記混合デュプレクサは、
Ｂ１−Ｔｘ／Ｂ（１１＋２１）−Ｒｘ、又は
Ｂ１−Ｔｘ／Ｂ１１−Ｒｘ、又は
Ｂ１−Ｔｘ／Ｂ２１−Ｒｘ、を組み合わせ、
エクストラクタ帯域Ｂ４−Ｒｘ又はＢ１−Ｒｘ又はＢ６６−Ｒｘが割り当てられており、
Ｂ１１又はＢ２１用の未混合デュプレクサが更に設けられている［Ｃ１１］〜［Ｃ１４］のいずれか一項に記載のフロントエンドモジュール。
［Ｃ１６］
前記アンテナスイッチ（ＡＳ）の出力は、対応するスイッチ設定を介してトリプレクサ及びデュプレクサと接続することができ、
前記トリプレクサは、Ｂ１−若しくはＢ６５−Ｔｘ／Ｂ３−Ｔｘ／Ｂ３−Ｒｘ用のフィルタ組み合わせ又はＢ２若しくはＢ２５−Ｔｘ／Ｂ４若しくはＢ６６−Ｒｘ／Ｂ２若しくはＢ２５−Ｒｘ用のフィルタ組み合わせを含み、
エクストラクタ帯域Ｂ４−Ｒｘ又はＢ１−Ｒｘ又はＢ６６−Ｒｘ又はＢ６５−Ｒｘが割り当てられている、［Ｃ１１］〜［Ｃ１５］のいずれか一項に記載のフロントエンドモジュール。
［Ｃ１７］
前記アンテナスイッチ（ＡＳ）の出力は、対応するスイッチ設定を介してトリプレクサ及び／又はデュプレクサ及びクアドプレクサと接続することができ、
前記クアドプレクサは、Ｂ１−Ｔｘ又はＢ６５−Ｔｘ／Ｂ３−Ｔｘ／Ｂ３−Ｒｘ／Ｂ３２−Ｒｘ用のフィルタ組み合わせを含み、
エクストラクタ帯域Ｂ４−Ｒｘ又はＢ１−Ｒｘ又はＢ６６−Ｒｘが割り当てられている、［Ｃ１１］〜［Ｃ１６］のいずれか一項に記載のフロントエンドモジュール。
［Ｃ１８］
ダイバーシティアンテナ（ＤＡＴ）と接続可能な未混合受信パスを備え、
前記未混合受信パスからエクストラクタパス（ＥＰ）を分岐し、前記エクストラクタ帯域Ｂ４−Ｒｘ、Ｂ１−Ｒｘ、Ｂ６５−Ｒｘ又はＢ６６−Ｒｘが割り当てられている、エクストラクタ構成（ＥＡ）を備え、
前記未混合受信パスに、ダイプレクサ（ＤＰＸ）が配置されており、前記ダイプレクサは、前記未混合受信パスを、それぞれ中帯域（ＭＢ）及び高帯域（ＨＢ）の範囲に割り当てられている２つの未混合受信分割パスに分割し、中帯域用の前記受信分割受信パスに、Ｂ３−Ｒｘ／Ｂ２１−Ｒｘ用又はＢ３−Ｒｘ／Ｂ３２−Ｒｘ用のフィルタ組み合わせを有する混合ダイバーシティダイプレクサが配置されている、［Ｃ１１］〜［Ｃ１７］のいずれか一項に記載のフロントエンドモジュール。
［Ｃ１９］
前記ダイバーシティアンテナ（ＤＡＴ）と前記エクストラクタ構成（ＥＡ）との間に、前記受信パスから更なる分割パス（ＴＰ）に周波数領域用に分岐する、更なるダイプレクサ（ＤＰＸ）又はより高次のマルチプレクサが配置されている、［Ｃ１８］に記載のフロントエンドモジュール。
［Ｃ２０］
ダイバーシティアンテナ（ＤＡＴ）と接続可能な未混合受信パスを備え、
前記未混合受信パスからエクストラクタパス（ＥＰ）を分岐し、前記エクストラクタ帯域Ｂ４−Ｒｘ、Ｂ１−Ｒｘ、Ｂ６５−Ｒｘ又はＢ６６−Ｒｘが割り当てられている、エクストラクタ構成（ＥＡ）を備え、
前記未混合受信パスには、前記未混合受信パスを２つの未混合受信分割パスに分割するダイプレクサ（ＤＰＸ）が配置されており、前記未混合受信分割パスは、それぞれ中帯域領域及び高帯域領域に割り当てられ、
中帯域用の前記受信分割パスには、Ｂ３２−Ｒｘ／Ｂ２１−Ｒｘ／Ｂ３−Ｒｘ用のフィルタ組み合わせを有する混合ダイバーシティトリプレクサが配置されている、［Ｃ１］〜［Ｃ１９］のいずれか一項に記載のフロントエンドモジュール。
［Ｃ２１］
それぞれのエクストラクタ帯域を抽出するために形成されている、２つのエクストラクタ構成（ＥＡ）が設けられており、
前記第１のエクストラクタ帯域は、帯域３０Ｒｘ及びＴｘ及び／又は帯域４０を含み、
前記第２のエクストラクタ帯域は、ＧＮＳＳ、ＷＬＡＮ２．４、帯域６６−Ｒｘ、帯域３２−Ｒｘ及びＬＭＢから選択される周波数用に設定されており、ＬＭＢは、１４２５〜１５１１ＭＨｚの周波数を含む、［Ｃ１］〜［Ｃ２０］のいずれか一項に記載のフロントエンドモジュール。
［Ｃ２２］
３つのエクストラクタ構成（ＥＡ）を含み、前記エクストラクタ構成（ＥＡ）のうちの１つは、帯域３０及び／又は帯域４０用に設定されている、［Ｃ１］〜［Ｃ２１］のいずれか一項に記載のフロントエンドモジュール。
［Ｃ２３］
帯域Ｂ１−Ｔｘ又はＢ６５−Ｔｘ／Ｂ（１１＋２１＋３２）−Ｒｘ用のフィルタ組み合わせを備える混合デュプレクサが設けられている、［Ｃ１］〜［Ｃ２２］のいずれか一項に記載のフロントエンドモジュール。
［Ｃ２４］
帯域Ｂ１−Ｔｘ又はＢ６５−Ｔｘ／Ｂ３−Ｒｘ／Ｂ（１１＋２１＋３２）−Ｒｘを分離し、それぞれ帯域チャネルに割り当てることができる、混合トリプレクサが設けられている、［Ｃ１］〜［Ｃ２３］のいずれか一項に記載のフロントエンドモジュール。